【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
上面および前記上面に相反する下面を有する回路基板と、
前記回路基板の前記上面に取り付けられた少なくとも１つの発光ダイオードと、
前記回路基板の前記下面上の第１熱接触領域群と、
前記回路基板の前記上面上にあり、前記発光ダイオードに隣接して露出している第２熱接触領域群と、
前記回路基板の前記下面上の前記第１熱接触領域群に熱的に結合された第１ヒートシンクと、
前記回路基板の前記上面上の前記第２熱接触領域群に熱的に結合された第２ヒートシンクと
を含み、
前記第１ヒートシンクは、前記回路基板への電気的接続のために孔を有することを特徴とする装置。
【請求項２】
前記回路基板を貫通する複数のスルーホールを更に含み、
前記第１熱接触領域群は、互いに隣接し、
前記第２熱接触領域群は、互いに隣接していることを特徴とする、請求項１に記載の装置。
【請求項３】
前記第２ヒートシンクの前記上面に結合されたリフレクタを更に含み、
前記リフレクタは、前記第２ヒートシンクの前記孔と一直線となる入口ポートを有することを特徴とする、請求項１に記載の装置。
【請求項４】
リフレクタを更に含み、前記リフレクタは、前記第２ヒートシンクと一体的に形成されていることを特徴とする、請求項１に記載の装置。
【請求項５】
発光ダイオード照明装置であって、
上面と、前記上面に相反する下面と、前記下面上の第１熱接触領域と、前記上面上の第２熱接触領域とを有する回路基板と、
前記回路基板の前記上面に取り付けられた少なくとも１つの発光ダイオードと、
前記回路基板の前記下面上の前記第１熱接触領域に熱的に結合された第１ヒートシンクと、
上面と、下面と、前記上面および前記下面を連通する孔とを備え、前記第１ヒートシンクに連結されて前記第１ヒートシンクとの間に前記回路基板を保持するようにして、前記回路基板の前記上面上の前記第２熱接触領域に熱的に結合された第２ヒートシンクと、
前記孔の内部の反射性側壁と
を含み、
前記第２ヒートシンクは、前記少なくとも１つの発光ダイオードから放射された光が前記孔を通過するように、前記回路基板および前記少なくとも１つの発光ダイオードに対して配置されていることを特徴とする発光ダイオード照明装置。
【請求項６】
前記孔の内部に前記反射性側壁を提供するために、前記孔の内部に取り付けられる反射性側壁挿入体を更に含むことを特徴とする、請求項５に記載の発光ダイオード照明装置。
【請求項７】
前記反射性挿入体に結合された窓を更に含むことを特徴とする、請求項６に記載の発光ダイオード照明装置。
【請求項８】
前記窓上に波長変換物質層を更に含むことを特徴とする、請求項７に記載の発光ダイオード照明装置。
【請求項９】
前記孔の内部の前記反射性側壁の第１領域を覆う第１波長変換物質を更に含むことを特徴とする、請求項５に記載の発光ダイオード照明装置。
【請求項１０】
前記孔の前記反射性側壁の前記第１領域と異なる第２領域を覆う第２波長変換物質を更に含むことを特徴とする、請求項９に記載の発光ダイオード照明装置。
【請求項１１】
前記第２ヒートシンクの前記上面に結合されたリフレクタを更に含み、
前記リフレクタは、前記第２ヒートシンクの前記孔と一直線となる入口ポートを有することを特徴とする、請求項５に記載の発光ダイオード照明装置。
【請求項１２】
発光ダイオード照明装置であって、
電気的接続を有する取付板と、
前記取付板に取り付けられ、前記電気的接続に接続された少なくとも１つの発光ダイオードと、
前記取付板に結合され、前記少なくとも１つの発光ダイオードを囲む孔を画成するように構成された少なくとも１つの反射性側壁と、
前記少なくとも１つの発光ダイオードによって発生した光に曝される前記孔の第１領域を覆う第１波長変換物質と、
前記少なくとも１つの発光ダイオードによって発生した光に曝される前記孔の前記第１領域と異なる第２領域を覆う第２波長変換物質と、
前記第１波長変換物質によって発生した光と、前記第２波長変換物質によって発生した光とが前記孔内で混合され、混合された光は出力ポートを通過して伝送されることを特徴とする発光ダイオード照明装置。
【請求項１３】
前記出力ポートを覆う窓を更に含むことを特徴とする、請求項１２に記載の発光ダイオード照明装置。
【請求項１４】
前記少なくとも１つの発光ダイオードによって発生した光に曝される前記孔の前記第１領域および前記第２領域と異なる第３領域を覆う第３波長変換物質を更に含むことを特徴とする、請求項１２に記載の発光ダイオード照明装置。
【請求項１５】
前記第１領域および前記第２領域は、前記少なくとも１つの反射性側壁上にあることを特徴とする、請求項１２に記載の発光ダイオード照明装置。
【請求項１６】
発光ダイオード照明装置であって、
電気的接続を有する取付板と、
前記取付板に熱的に結合されたヒートシンクと、
前記取付板に取り付けられ、かつ前記電気的接続に接続されるとともに、１つの色度を有する光を非固体物質内に放射する複数の発光ダイオードと、
前記取付板に結合された少なくとも１つの側壁によって形成された孔の内部に固定的に配置された反射性側壁挿入要素によって画成された円形状を有し、前記複数の発光ダイオードからの光を内部に受容するともに混合する光混合孔と、
前記光混合孔からの光が通過する出力ポートを覆う窓と
を含み、
前記複数の発光ダイオードのｐ−ｎ接合部は、前記光混合孔の中心から概ね等距離となっており、
前記反射性側壁挿入要素は少なくとも１種類の波長変換物質を側壁上に有し、
前記反射性側壁挿入要素上の前記少なくとも１種類の波長変換物質は、前記複数の発光ダイオードによって生成された光の前記色度を変換し、前記出力ポートを通過して伝送される光を所望の色度とするように構成されていることを特徴とする発光ダイオード照明装置。
【請求項１７】
前記孔の第１領域を覆う第１波長変換物質と、
前記孔の前記第１領域と異なる第２領域を覆う第２波長変換物質と
を更に含むことを特徴とする、請求項１６に記載の発光ダイオード照明装置。
【請求項１８】
前記出力ポートは、楕円形状および多角形状の少なくとも１つを有することを特徴とする、請求項１６に記載の発光ダイオード照明装置。
【請求項１９】
前記窓は、波長変換物質層を含むことを特徴とする、請求項１６に記載の発光ダイオード照明装置。
【請求項２０】
前記波長変換物質層は、前記窓を部分的に覆うことを特徴とする、請求項１９に記載の発光ダイオード照明装置。
【請求項２１】
前記取付基板の中央部分に結合された中央反射性要素を更に含み、
前記中央反射性要素は、前記取付基板から前記窓側に延出することを特徴とする、請求項１６に記載の発光ダイオード照明装置。
【請求項２２】
前記中央反射性要素の第１領域は、第１波長変換物質によって覆われ、
前記中央反射性要素の前記第１領域と異なる第２領域は、第２波長変換物質によって覆われていることを特徴とする、請求項２１に記載の発光ダイオード照明装置。
【請求項２３】
前記光混合孔は、前記複数の発光ダイオードに近接した第１断面領域と、
前記第１断面領域と異なり、前記複数の発光ダイオードから離間した第２断面領域と
を有することを特徴とする、請求項１６に記載の発光ダイオード照明装置。
【請求項２４】
発光ダイオード照明装置であって、
電気的接続を有する取付板と、
前記取付板に取り付けられ、かつ前記電気的接続に接続され、１つの色度を有する光を放射する少なくとも１つの発光ダイオードと、
前記取付基板に結合され、前記少なくとも１つの発光ダイオードからの光が内部に放射される孔を画成するために構成された少なくとも１つの側壁と、
前記孔の内部に反射性側壁を形成するために、前記孔の内部に固定的に配置された反射性挿入要素と、
前記反射性挿入要素の前記反射性側壁に設けられた少なくとも１種類の波長変換物質と、
前記孔の内部の光が通過する出力ポートと
を含み、
前記反射性側壁挿入要素の前記反射性側壁上の前記少なくとも１種類の波長変換物質は、前記少なくとも１つの発光ダイオードによって生成された光の前記色度を変換し、前記出力ポートを通過して伝送される光を所望の色度とするに構成されていることを特徴とする発光ダイオード照明装置。
【請求項２５】
前記少なくとも１種類の波長変換物質は、前記反射性挿入要素の前記反射性側壁の第１領域を覆う第１波長変換物質を含み、
前記第１領域は、前記反射性挿入要素の全領域よりも小さいことを特徴とする、請求項２４に記載の発光ダイオード照明装置。
【請求項２６】
前記少なくとも１種類の波長変換物質は、前記第１領域とは異なる前記反射性挿入要素の前記反射性側壁の第２領域を覆う第２波長変換物質を更に含むことを特徴とする、請求項２５に記載の発光ダイオード照明装置。
【請求項２７】
前記出力ポートを覆う波長変換物質を含む窓を更に含むことを特徴とする、請求項２４に記載の発光ダイオード照明装置。
【請求項２８】
前記窓は、ダイクロイックコーティングの層を含むことを特徴とする、請求項２７に記載の発光ダイオード照明装置。
【請求項２９】
前記取付基板は、上面と、前記上面に相反する下面と、前記下面上の第１熱接触領域と、前記上面上の第２熱接触領域とを有し、
当該発光ダイオード照明装置は、前記取付基板の前記下面上の前記第１熱接触領域に熱的に結合された第１ヒートシンクと、前記取付基板の前記上面上の前記第２熱接触領域に熱的に結合された第２ヒートシンクとを更に含むことを特徴とする、請求項２４に記載の発光ダイオード照明装置。
【請求項３０】
前記第２ヒートシンクは、上面と、下面と、前記上面および前記下面を連通し、少なくとも１つの側壁を画成する孔とを備えることを特徴とする、請求項２９に記載の発光ダイオード照明装置。
【請求項３１】
波長変換物質をシート要素に塗布する過程と、
前記シート要素から発光ダイオード照明装置の光混合孔の側壁挿入体を形成する過程と
を含むことを特徴とする方法。
【請求項３２】
前記発光ダイオード照明装置の前記光混合孔に前記側壁挿入体を挿入する過程を更に含むことを特徴とする、請求項３１に記載の方法。
【請求項３３】
様々な色調特性を生じさせるべく、前記波長変換物質を複数のシート要素に塗布する過程と、
前記複数のシート要素のそれぞれから複数の側壁挿入体を形成する過程と、
前記発光ダイオード照明装置に組み付ける前に、前記複数の側壁挿入体の色調特性を測定する過程と
を更に含むことを特徴とする、請求項３１に記載の方法。
【請求項３４】
前記色調特性の測定に基づいて前記複数の側壁挿入体の１つを選択する過程と、
前記複数の側壁挿入体から選択された前記１つを前記光混合孔に挿入することによって、前記発光ダイオード照明装置を組み立てることを特徴とする、請求項３３に記載の方法。
【請求項３５】
発光ダイオード照明装置であって、
電気的接続を有する取付板と、
前記取付板に取り付けられ、かつ前記電気的接続に接続され、１つの色度を有する光を放射する少なくとも１つの発光ダイオードと、
前記取付基板に結合され、前記少なくとも１つの発光ダイオードからの光が内部に放射される孔を画成するために構成された少なくとも１つの側壁と、
前記孔の内部に連続した反射性側壁を形成するために、シート要素から形成され、前記孔の内部に固定的に配置された反射性挿入要素であって、前記シート要素上には少なくとも１種類の波長変換物質が塗布された、該反射性挿入要素と、
前記孔の内部の光が通過する出力ポートと
を含み、
前記反射性側壁挿入要素の前記シート要素上の前記少なくとも１種類の波長変換物質は、前記少なくとも１つの発光ダイオードによって生成された光の前記色度を変換し、前記出力ポートを通過して伝送される光を所望の色度とするに構成されていることを特徴とする発光ダイオード照明装置。
【請求項３６】
前記反射性挿入要素は、測定された色調特性に基づいて前記複数の反射性挿入要素のなかから選択されたものであることを特徴とする請求項３５に記載の発光ダイオード照明装置。